(57)【特許請求の範囲】
【請求項１】
押圧可能な操作部を有する筐体と、
前記筐体の内部に前記操作部に対向する位置に押圧スイッチが実装された操作基板と、
前記筐体と前記操作基板との間に、先端に前記押圧スイッチを押すべく前記操作部の内部に当接する操作片を形成したスペーサ部材からなる電子機器であって、
前記スペーサ部材は、少なくとも２つのシートからなり、
前記シートは、当該シートに対して水平方向に突出したはり部を有し、
前記シートのはり部の先端部分のみを重ね合わせることで前記操作片を形成することを特徴とする電子機器。
【発明の詳細な説明】
【技術分野】
【０００１】
本発明は、押圧操作が可能な操作部を備えた電子機器に関するものである。
【背景技術】
【０００２】
近年、メモリカードを記憶媒体として使用するポータブルオーディオプレーヤやデジタル方法を受信するポータブルテレビや携帯電話の普及が目覚ましい。ポータブルオーディオプレーヤは、本体に内蔵された半導体メモリや本体に着脱可能なメモリカードに楽曲データを保存し、ユーザが携帯しながら音楽などを鑑賞することができることを特徴としている。
【０００３】
図７は、従来のポータブルオーディオプレーヤの構成図を示す。さらに図８は、従来のポータブルオーディオプレーヤのスイッチの構造を示す。従来のポータブルオーディオプレーヤは、筐体７０６の内部にその表面操作部７０４に対向する位置に押圧スイッチ７０１を実装した操作基板７０５を配置し、筐体７０６と操作基板７０５との間に、先端に押圧スイッチ７０１を押すべく表面操作部７０５の内部に当接する操作片を形成した撓み部７０２と、筐体７０６の薄肉部の変形を防止するべく表面操作部７０５の内面に当接する受け部７０３とが、一体に形成されているスペーサ部材を備えている。スペーサ部材の受け部７０３は、スペーサ部材に複数の表面操作部７０５に対応した撓み部７０２を形成した際に、撓み部７０２の操作を行う表面操作部７０５によって、隣接する撓み部７０２を操作することがないように構成されている。
【０００４】
このように、従来の電子機器は、この構成により、複数のスイッチを同時に押圧してしまう誤操作が発生する頻度を軽減することができる。
【先行技術文献】
【特許文献】
【０００５】
【特許文献１】特開２００８−２５１２８０号公報
【発明の概要】
【発明が解決しようとする課題】
【０００６】
しかしながら、従来の電子機器は、押圧スイッチを押すべく表面操作部の内部に当接する、筐体と操作基板との間に設けられた操作片が、その操作を成形するために必要な肉厚分と押圧スイッチを押すための高さ分が必要となり、電子機器の薄型化を阻害していたという問題があった。
【０００７】
そこで、本発明は、上記従来の問題点を解決すべく、従来の電子機器と比較して厚みを薄くすることができる電子機器を提供することを目的とする。
【課題を解決するための手段】
【０００８】
上記目的を達成するために、本発明の電子機器は、押圧可能な操作部を有する筐体と、前記筐体の内部に前記操作部に対向する位置に押圧スイッチが実装された操作基板と、前記筐体と前記操作基板との間に、先端に前記押圧スイッチを押すべく前記操作部の内部に当接する操作片を形成したスペーサ部材からなる電子機器であって、前記スペーサ部材は、少なくとも２つのシートからなり、前記シートは、当該シートに対して水平方向に突出したはり部を有し、前記少なくとも２つのシートのはり部を重ね合わせることで前記操作片を形成したものである。
【０００９】
このような構成をとることにより、操作片の厚みが、少なくとも２枚分のシートの厚み分に薄くできるという作用を有する。
【発明の効果】
【００１０】
上記の構成によれば、従来の電子機器と比較して厚みを薄くすることができる電子機器を提供できる。
【図面の簡単な説明】
【００１１】
【図１】実施の形態にかかる音楽再生装置の外観図
【図２】実施の形態にかかる音楽再生装置のスイッチの構造を示す図
【図３】実施の形態にかかる音楽再生装置の上操作片の構造を示す図
【図４】実施の形態にかかる音楽再生装置の下操作片の構造を示す図
【図５】実施の形態にかかる音楽再生装置の上操作片、下操作片、スイッチ、操作基板のみを示した図
【図６】図５におけるスイッチ付近の拡大図
【図７】従来のポータブルオーディオプレーヤの外観図
【図８】従来のポータブルオーディオプレーヤのスイッチの構造を示す図
【発明を実施するための形態】
【００１２】
以下、本発明の電子機器の一実施例として、音楽再生機器の実施の形態について、図面を参照しながら説明する。
（実施の形態）
図１は、実施の形態にかかる音楽再生機器の外観図を示す。
【００１３】
音楽再生装置１００は、表キャビネット１０１、上操作片１０２、下操作片１１０、１０個のスイッチ１０３、操作基板１０４、表示部１０５、シャーシ１０６、裏キャビネット１０７、制御基板１１１、電池１１２で構成される。
【００１４】
表キャビネット１０１は、音楽再生装置１００の背面以外を覆う部品で、操作部１０８と表示窓１０９を備える。本実施の形態では、操作部１０８には一定の間隔をとって１０個の記号が印字されている。スイッチ１０３は、印字された各記号の裏側に対向する位置にひとつずつ配置されている。この構成により、操作部１０８のどの印字の位置を押すかによって、どのスイッチ１０３がＯＮとなるのかが異なる。表示窓１０９は、透明な材料で出来ており、表示部１０５の内容を確認できる。
【００１５】
上操作片１０２と下操作片１１０は、操作部１０８に加えられた押圧をスイッチ１０３に伝えるためのシート部品である。
【００１６】
スイッチ１０３は、操作部１０８に加えられた押圧によって導通し、制御基板１１１に電気信号を伝達する部品である。本実施の形態では、スイッチ１０３は１０個搭載され、それぞれ発生する信号が異なる。これにより、制御基板１１１はどのスイッチ１０３が押されたのかを判断できる。
【００１７】
操作基板１０４は、１０個のスイッチ１０３と、スイッチ１０３の動作に必要な電子部品（図示なし）を配置した基板である。操作基板１０４は、制御基板１１１と電気的に繋がっている。
【００１８】
表示部１０５は、制御基板１１１からの信号に基づき、音楽再生装置１０１の状態を表示する部位である。ユーザは、操作部１０８に押圧を加えることで音楽再生装置１００を操作できる。その操作に応じた表示が表示部１０５に表示される。ユーザは、表示窓１０９を通してその表示内容を確認できる。例えば、音楽データを再生中は、その再生中の音楽データの各種情報が表示される。
【００１９】
シャーシ１０６は、表キャビネット１０１、上操作片１０２、下操作片１１０、操作基板１０４、表示部１０５、裏キャビネット１０７、制御基板１１１、電池１１２を、適切な相対位置で固定するための部品である。
【００２０】
裏キャビネット１０７は、音楽再生装置１００の背面を覆う部品である。
【００２１】
制御基板１１１は、押されたスイッチ１０３に応じて、電子機器の状態を制御する制御部を動作させるための部品である。
【００２２】
電池１１２は、動作に必要な電力を供給する。
【００２３】
図２は、実施の形態にかかる音楽再生機器のスイッチ１０３の構成を示す。図２（ａ）はスイッチ１０３の上方図であり、図２（ｂ）及び（ｃ）はＡ−Ａで切り出した断面図である。スイッチ１０３は、スナッププレート２０１と、筐体２０２と、半田付け端子２０３で構成される。
【００２４】
スナッププレート２０１は、図２（ｂ）で示すように、椀型で構成される。スナッププレート２０１の中央部付近に押圧が加わると、図２（ｃ）で示すように、スナッププレート２０１が反転し、スイッチ１０３がオンの状態になる。なお、スナッププレート２０１の周辺部に押圧が加わるとスイッチ１０３は正常に動作しない。
【００２５】
図３は、実施の形態にかかる音楽再生機器の上操作片１０２の構造を示す。
【００２６】
上操作片１０２は、逃げ孔３０１、位置決め孔３０２、加圧部３０３、繋ぎ３０４、粘着部３０５で構成される。
【００２７】
逃げ孔３０１は、スイッチ１０３やその他の基板上の実装部品を避ける。
【００２８】
位置決め孔３０２は、上操作片１０２をスイッチ１０３に対応する位置に位置決めする。
【００２９】
加圧部３０３は、スイッチ１０３のスナッププレート２０１の中央部に押圧を加える。
【００３０】
繋ぎ３０４は、加圧部３０３を上操作片１０２に繋ぎとめる。
【００３１】
粘着部３０５は、基板１０４に上操作片１０２を貼り付けて、固定する。
【００３２】
図４に、下操作片１１０の構造を示す。下操作片１１０も上操作片１０２と同様に、逃げ孔４０１、位置決め孔４０２、加圧部４０３、繋ぎ４０４、基板と一体となるための粘着部４０５で構成される。図４の各構成要素の構成及び機能は、図３の各構成要素と同様であるため、省略する。
【００３３】
図５は、電子機器の全体構成から上操作片１０２、下操作片１１０、スイッチ１０３、操作基板１０４のみを抽出した構成の正面図である。
【００３４】
図６は、図５のスイッチ１０３付近の拡大図を示す。図６（ａ）は正面図、図６（ｂ）はＡ−Ａ断面図、図６（ｃ）はＢ−Ｂ断面図である。
【００３５】
基板１０４には、下操作片１１０が、粘着部４０５の粘着力によって貼り付けられる。加圧部４０３と繋ぎ４０４はスイッチ１０３に乗り上げ、図６（ｂ）に示すように加圧部４０３が上に持ち上げられるように繋ぎ４０４が撓んだ状態となる。この上に、上操作片１０２が粘着部３０５の粘着力によって貼り付けられる。加圧部３０３は、加圧部４０３に乗り上げ、図６（ｃ）に示すように加圧部３０４が撓んだ状態となる。
【００３６】
このように構成することで、上操作片１０２と下操作片１１０との重なり部とそれ以外の部位との厚み差を利用してスナッププレート２０１を部分的に加圧できる。
【００３７】
次に、音楽再生機器１００の動作を説明する。
ユーザは操作部１０８を指で押す。操作部１０８はその押圧を受けることで撓む。このとき、図６（ｃ）に示したように、上操作片１０２の加圧部３０３と、下操作片１１０の加圧部４０３は、互いに重なり合うことで周囲よりも高くなっているため、撓んだ操作部１０８によって、この加圧部３０３と加圧部４０３が押し下げられて２０１の中央部が加圧される。加圧部３０３と加圧部４０３の重なった箇所以外では、操作片の厚み１枚分の隙間が存在するため、２０１は中央部のみが加圧され、周辺部は加圧されない。そのため、スイッチ１０３を正常に動作させることが出来る。
【００３８】
なお、本実施の形態では、粘着部３０５の粘着力によって貼り付けられ固定されているが、例えば、粘着部３０５、４０５を用いずに、シャーシ１０６に、基板１０４、上操作片１０２、下操作片１１０を貫通する突起を設け、基板１０４、上操作片１０２、下操作片１１０を水平方向にずれないように固定した場合でも同様の効果が得られる。具体的には、繋ぎ３０４と繋ぎ４０４の剛性と、上操作片１０２、下操作片１１０の重さによっては、繋ぎ３０４と繋ぎ４０４がほとんど撓まずに、スイッチ１０３と接触した加圧部３０３と加圧部４０３によって上操作片１０２と下操作片１１０が支えられ、下操作片１１０が操作基板１０４から浮いた状態となることが考えられる。この場合でも、上操作片１０２と下操作片１１０との重なり部とそれ以外の部位との厚み差を利用してスナッププレート２０１を部分的に加圧できる。従って、粘着部２０５、４０５を利用して基板に貼り付ける構成と同様の効果が得られる。
【産業上の利用可能性】
【００３９】
本発明は、押圧操作が可能な操作部を備えた電子機器に適用できる。
【符号の説明】
【００４０】
１００    音楽再生機器
１０１    表キャビネット
１０２    上操作片
１０３    スイッチ
１０４    操作基板
１０５    表示部
１０６    シャーシ
１０７    裏キャビ
１０８    操作部
１０９    表示窓
１１０    下操作片
１１１    制御基板
１１２    電池
２０１    スナッププレート
２０２    スイッチ筐体
２０３    半田付け端子
３０１    逃げ孔
３０２    位置決め孔
３０３    加圧部
３０４    繋ぎ
３０５    粘着部
４０１    逃げ孔
４０２    位置決め孔
４０３    加圧部
４０４    繋ぎ
４０５    粘着部
【図１】
0005499720.tif 000002
【図２】
0005499720.tif 000003
【図３】
0005499720.tif 000004
【図４】
0005499720.tif 000005
【図５】
0005499720.tif 000006
【図６】
0005499720.tif 000007
【図７】
0005499720.tif 000008
【図８】
0005499720.tif 000009